(57)【要約】【課題】仮眼鏡用前フレームに容易に取り付けられるテンプル、およびそのテンプルを用いた仮眼鏡フレームを提供する。【解決手段】本発明は、デザインされた実際の眼鏡を作製する前に、デザインされた眼鏡がお客様の好み等と合致しているかを確かめるために作製される仮眼鏡フレーム用のテンプルであって、仮眼鏡フレーム用前フレームに取り付けられる基部から延び耳掛け部で終わるテンプル本体、および仮眼鏡フレームの前フレームに該の両側端部に設けられたテンプル取り付けようの開口にスナップ型式で嵌合して取り付けられる取付部材を備えていることを特徴とする。本発明の仮眼鏡フレームは、上記テンプルを仮眼鏡用前フレームに取り付けてなるものである。【選択図】図２
2011138081.tif 000002
【特許請求の範囲】
【請求項１】
デザインされた実際の眼鏡を作製する前に、デザインされた眼鏡がお客様の好み等と合致しているかを確かめるために作製される仮眼鏡フレーム用のテンプルであって、仮眼鏡フレーム用前フレームに取り付けられる基部から延び耳掛け部で終わるテンプル本体、および前記テンプル本体の基部に設けられ、仮眼鏡フレームの前フレームの両側端部に設けられたテンプル取り付け用の開口にスナップ型式で嵌合して取り付けられる取付部材を備えていることを特徴とする仮眼鏡フレーム用のテンプル。
【請求項２】
前記取付部材は、弾性材料で形成されたＵ字形のものであり、Ｕの一端がテンプルの基部に固定され、他端が自由端となっており、Ｕの底部から眼鏡前フレームの開口に押し込まれるようになっている請求項１の仮眼鏡フレーム用のテンプル。
【請求項３】
請求項１または２の仮眼鏡フレーム用のテンプルを仮眼鏡フレーム用前フレームに取り付けてなる仮眼鏡フレーム。
【請求項４】
前記仮眼鏡フレーム用前フレームが、一枚の板材から切り出されたものである請求項３の仮眼鏡フレーム。
【請求項５】
前記板材が弾性材料で形成されている請求項４の仮眼鏡フレーム。
【請求項６】
前記仮眼鏡フレーム用前フレームを形成する弾性材料が、樹脂である請求項５の仮眼鏡フレーム。
【請求項７】
前記仮眼鏡フレーム用前フレームを形成する弾性材料が、金属である請求項５の仮眼鏡フレーム。
【発明の詳細な説明】
【技術分野】
【０００１】本発明は、仮眼鏡フレームのテンプルおよび仮眼鏡フレームに関し、更に詳細には、デザインされた実際の眼鏡を作製する前に、デザインされた眼鏡がお客様の好み等と合致しているかを確かめるために作製される仮眼鏡フレーム用のテンプルおよび仮眼鏡フレームに関する。
【背景技術】
【０００２】従来、眼鏡枠製造業において、眼鏡枠のデザインならびにその枠の中に入れる眼鏡レンズの縁形状デザインは、それを装用する個々の消費者の顔形状の差異を深く考慮する事無く、デザイン設計が行われ、同一規格の画一的な製品が大量に生産され、小売り業を通じて消費者に提供されていた。【０００３】本来、人間の顔の造作は人それぞれに異なったものであり、人間の美意識、デザインに対する嗜好もまた個々の人により異なるものである。このように個々に異なる顔の造作、美意識に合わせて、眼鏡の形状設計、デザインが行われてしかるべきであるにもかかわらず、現在、眼鏡枠製造業ならびに眼鏡小売り業では、眼鏡枠の種類を揃える事とサイズを数種類用意することで対応するのみである。【０００４】その結果、装用する個々の消費者は自分の顔の造作や個人の持つ美意識を、考慮する事無くデザインされた画一的な量産型の形状デザインの眼鏡レンズおよび眼鏡枠を選択、購買せざるをえない状況となっている。【０００５】これは、個々の人間の顔形状、嗜好、美意識を基本に置くのでは無く、低コストで画一的な製品を作り出す事を目的とした生産設備、製造加工機器制御方法の所産でもある。【０００６】そこで、本願出願人は、特願平５−３４２２３２号（特許第２７５１１４５号）において、人それぞれに異なる顔の造作、さらに人によって異なる眼鏡形状デザインに対する希望イメージに合わせ、最も似合う形状デザインの眼鏡レンズならびに眼鏡枠前部のリムの形状デザイン設計し、さらに、その設計情報を眼鏡レンズ玉摺り加工機器、眼鏡枠リムの形成加工機器制御に利用出来るように変換し伝送する眼鏡形状デザイン設計システムを提供した。
【特許文献１】  特願平５−３４２２３２号（特許第２７５１１４５号）
【０００７】上記眼鏡形状デザイン設計システムにおいては、人それぞれに異なる顔画像をコンピュータの画像処理技術により、色調補正、輪郭強調などを行った上で、その特徴を特徴点として抽出し、個々の顔の造作を捉える。そしてこの特徴点位置を基に、後述のベジェ曲線のアンカーポイントを得る為の、垂直、水平、斜め方向の補助線ならびに補助線上の任意の補助点を設定し、これより設計に必要なベジェ曲線の制御点のアンカーポイントの位置を得て、形状設計上の基本形を生成する。【０００８】眼鏡のレンズ形状ならびにリム形状は曲線によって構成されており、この曲線をベジェ曲線で生成する場合アンカーポイント位置とコントロールポイントの位置を制御することにより自在に形状を生成する事ができる。【０００９】なお、ここで言う特徴点とは、顔の撮影画像上の各部位の輪郭上の任意の点、また補助点はこの特徴点から補助線を引いたその補助線と補助線の交点などをさし、各特徴点ならびに各補助線、各補助点には英記号２桁あるいは英記号と数字による２桁の名称を付す。【００１０】眼鏡レンズならびに眼鏡枠の前部リムの形状デザインに必要な顔の外輪郭と中央部分の特徴点位置を図４に示す。顔の外輪郭は、髪の毛との生え際の特徴を捉える点ＦＡ、ＦＢ、ＦＨ、額から頬にかけての特徴を捉える点ＦＩ、ＦＣ、ＦＧ、ＦＪ、顎の特徴を捉える点ＦＤ、ＦＥ、ＦＦの１０点を特徴点として捉える。【００１１】さらにこれらの特徴点の内、点ＦＡとＦＥを結ぶ垂直補助線ａｅ、点ＦＩとＦＪを結ぶ水平補助線ｉｊ、点ＦＣからＦＧを結ぶ水平補助線ｃｇを引き、それらの交点より顔の中央部の補助点ＦＳ、ＦＫを設ける。また髪の特徴は、顔の中央を通る垂線と頭髪の最上部の輪郭が交叉する点Ｈ０を設ける。【００１２】次に、顔の眉、目、鼻、口などの各部位の特徴を捉える特徴点の設定をする。眉については図５に示すように、眉頭の点Ｂ０、眉山の点Ｂ１、眉尻の点Ｂ２そして眉の下の特徴を捉える点Ｂ３の４点を特徴点として捉える。【００１３】目については図６に示すように、瞳の中心点Ｐ０、黒目の輪郭の点Ｐ６、Ｐ７、そして眼瞼の特徴を捉える点Ｐ１、Ｐ２、Ｐ３、Ｐ４、Ｐ５の８点を特徴点としてとらえる。尚、この眼の特徴点は、撮影した顔画像の目があいている状態での定義である。【００１４】鼻については図７に示すように、鼻先の点Ｎ０、そして小鼻のふくらみのピーク点Ｎ１と点Ｎ２を特徴点として捉える。【００１５】唇の特徴を捉える特徴点は図８に示すように、上唇の中央部分の凹凸部の点Ｍ０、Ｍ１、Ｍ５、唇の両端の点Ｍ２、Ｍ４、下唇の下端の点Ｍ３の６点を捉える。【００１６】これらの特徴点位置を基に、その相対的距離を求め、さらには後述のベジェ曲線のアンカーポイントを設定する為に補助線を描く。【００１７】図９に示すように、顔の輪郭の特徴点の内、点ＦＩとＦＪを除く８特徴点の間を順に結ぶ補助線ｆ１、ｆ２、ｆ３、ｆ４、ｆ５、ｆ６、ｆ７、ｆ８を引く。さらに、特徴点ＦＡを通り、顔の水平線と並行な補助線ｆａ、特徴点ＦＥを通り、顔の水平線と並行な補助線ｆｅを引く。【００１８】図１０に示すように、眉、目に補助線ｍ１〜ｍ８を引く。補助線ｍ０は眉の特徴点Ｂ０を通る顔に垂線、補助線ｍ１は目の角膜の最内縁の特徴点Ｐ６を通る垂線、補助線ｍ２は目の瞳孔の中心の特徴点Ｐ０を通る垂線、補助線ｍ３は目の角膜の最外縁の特徴点Ｐ７を通る垂線、補助線ｍ４は目の強膜の最外縁の特徴点Ｐ３を通る垂線、補助線ｍ５は眉の特徴点Ｂ０と目頭の特徴点Ｐ１との水平距離を１：１に内分した点を通る垂線、補助線ｍ６は目の強膜の最内縁の特徴点Ｐ１を通る垂線、補助線ｍ８は目の特徴点Ｐ１とＰ４の水平距離を顔の内方から２：１に内分した点を通る垂線である。【００１９】図１１に示すように、水平方向補助線ｋ０〜ｋ９を引く。補助線ｋ０は、補助線ｍ２上で目の特徴点Ｐ０からＰ５までの垂直距離と同じ距離を特徴点Ｐ０より上方にとり、その位置を通るに水平な直線、補助線ｋ１は目の特徴点Ｐ２を通る水平な直線、補助線ｋ２は目の特徴点Ｐ０を通る水平な直線、補助線ｋ３は目の左右の特徴点Ｐ５を結ぶ直線、補助線ｋ４は前述の顔の水平線ｋ３からｋ２までの垂直距離と同じ距離成分を線ｋ３から下方にとり、その水平位置を通る水平な直線、補助線ｋ５は前述の顔の水平線ｋ３からｋ０までの垂直距離と同じ距離成分を線ｋ３から下方にとり、その水平位置を通る水平な直線、補助線ｋ７は下眼瞼の特徴点を結ぶ直線ｋ３から眉の特徴点Ｂ３までの垂直方向の距離成分と同じ距離を、直線ｋ３から下方にとり、その水平位置を通る水平な直線、補助線ｋ８は鼻先の特徴点Ｎ０を通る水平な直線、補助線ｋ９は唇の左端の特徴点Ｍ２と右端の特徴点Ｍ４を結ぶ顔に水平な直線、補助線ｋ６は左右の瞳孔の中心の特徴点を結ぶ直線ｋ３と、鼻先の特徴点を通る直線ｋ８との垂直距離の１／２の位置で顔の中央垂線上の交点ＦＫを通る水平な直線である。【００２０】図１２に示すように、斜め方向に補助線ｎ０〜ｎ４を引く。補助線ｎ０は眉頭の特徴点Ｂ０と眉尻の特徴点Ｂ２を結ぶ直線、補助線ｎ１は顔の水平方向の補助線ｋ２と顔の中央垂線ａｅとの交点ＦＳより、鼻の特徴点Ｎ１およびＮ２に向けて引かれる直線、補助線ｎ２は後述のアンカーポイントＡＩを通る補助線ｎ１に並行な直線、補助線ｎ３は各眉の特徴点Ｂ０とＢ３を結ぶ直線、補助線ｎ４は各眉の特徴点Ｂ０とＢ１を結ぶ直線である。【００２１】図１３に示すように、レンズならびにリムの形状を規制する為の補助線ｑｒ、ｑｌを引く。これは、レンズならびにリムの形状の左右の最大幅を規制するもので、特徴点ＦＡを通る水平な直線ｆａと特徴点ＦＥを通る水平な直線ｆｅに直交する。補助線ｑｒは顔の右側にある垂直方向の直線、補助線ｑｌは顔の左側にある垂直方向の直線である。【００２２】この補助線ｑｒとｑｌの水平方向の位置は、顔の特徴点ＦＡとＦＥ間の垂直距離によって変化する。ｑｒとｑｌの水平距離をｘ、ＦＡとＦＥの垂直距離をｙとすると、ｘはｙ／１．４１４からｙ／１．６１３の間の範囲にあり、この内、どの値を設定するかは後述の顔型判定の結果に拠る。【００２３】補助線ｆａ、ｆｅならびにｑｒ、ｑｌを以降、これらを総称して面長ラインと呼ぶ。【００２４】特徴点の設定とそれに基づく補助線の設定より、レンズならびにリム形状描画のためのベジェ曲線制御点、すなわちアンカーポイントと補助点を設定する。【００２５】このベジェ曲線の制御に使うアンカーポイントの位置ならびに補助点の位置の顔の各特徴点と相対的な位置関係を次のように設定する。なお、ここではアンカーポイントは英記号で名称を付し、以下のアンカーポイントの定義は顔の左右共通のものとして設定する。【００２６】図１４に示すように、アンカーポイントＡＡは、顔の水平方向の補助線ｋ０上にあり、このｋ０上で顔の中央垂線から左右それぞれ水平の外側方向に目の特徴点Ｐ１間の距離、すなわち目頭間の距離に一定の値を乗じた距離の位置に置く。【００２７】つぎにアンカーポイントＡＢとＡＤは、前述の補助線ｎ３の水平方向に対する傾きにより次のように設定する。【００２８】（１）図１４のように補助線ｎ３が水平に対して一定の角度より少ない角度をなすときで、かつ、特徴点Ｐ１とＢ０の相対的位置を見て、目の特徴点Ｐ１の方が顔の中心側にある場合、アンカーポイントＡＢは補助線ｍ６上で眉の特徴点Ｂ０より一定の距離分下の位置に設定し、アンカーポイントＡＤはアンカーポイントＡＢより補助線ｎ３に平行に引いた直線と補助線ｍ４との交点に置く。【００２９】また、図１５のように同条件で特徴点Ｐ１とＢ０の水平方向の相対的位置に差がない場合は、アンカーポイントＡＢは補助線ｍ５上で眉の特徴点Ｂ０より一定の距離分下の位置に設定し、アンカーポイントＡＤはアンカーポイントＡＢより補助線ｎ３に平行に引いた直線と補助線ｍ４との交点に置く。【００３０】（２）図１６に示すように補助線ｎ３が水平に対して一定の角度より大きい角度をなすときで、かつ、特徴点Ｐ１とＢ０の相対的位置を見て、目の特徴点Ｐ１の方が顔の中心側にある場合、アンカーポイントＡＤは特徴点Ｂ３上に設定し、アンカーポイントＡＢはアンカーポイントＡＤより補助ｎ４に平行に引いた直線と補助線ｍ６との交点に置く。【００３１】また、図１７のように同条件で特徴点Ｐ１とＢ０の水平方向の相対的位置に差がない場合は、アンカーポイントＡＤは特徴点Ｂ３上に設定し、アンカーポイントＡＢはアンカーポイントＡＤより補助線ｎ４に平行に引いた直線と補助線ｍ５との交点に置く。【００３２】次にアンカーポイントＡＥとＡＦの測定位置は、顔の外輪郭の各特徴点間の相対的距離を測り類別する顔型判定による場合分けの結果と、補助線ｑｒ，ｑｌのなす面長ラインの位置、さらにはデザイン対象人物の性別により設定される。【００３３】顔型の類別は先の顔の外輪郭の各特徴点間の相対的な距離により、丸型、長四角型、四角型、逆三角型、菱型、下ぶくれ型、面長型、レモン型に類別する。【００３４】この類別した顔型毎に、アンカーポイントＡＥならびにＡＦは、水平方向の補助線と以下の円弧との交点によって求める。【００３５】まず、顔の中央垂線ａｅより玉型形状制約のための補助線ｑｒならびにｑｌまでの水平距離を円弧の半径ＲＡと定義する。【００３６】次に、顔の中央垂線ａｅより玉型形状制約のための補助線ｑｒならびにｑｌまでの水平距離に左右の瞳孔中心の特徴点Ｐ０間の距離を加えた水平距離を円弧の半径ＲＢと定義する。【００３７】さらに上の定義により、図１８に示すように設定された２種類の円弧の中心点位置を以下の種類と名称に定義する。【００３８】中心点Ｑ１は補助線ｋ０上でｑｒあるいはｑｌより距離ＲＢにある点、中心点Ｑ３は補助線ｋ３上でｑｒあるいはｑｌより距離ＲＢにある点、中心点Ｑ６は補助線ｋ０上でｑｒあるいはｑｌより距離ＲＡにある点、中心点Ｑ８は補助線ｋ３上でｑｒあるいはｑｌより距離ＲＡにある点、中心点Ｑ１０は補助線ｋ５上でｑｒあるいはｑｌより距離ＲＡにある点。【００３９】この補助線の選択の定義、円弧の定義にしたがって、各顔類別、男女の性別に円弧の中心位置を以下のように定義する。【００４０】図１８に示すように、丸型の男女のアンカーポイントＡＥの位置は補助線ｋ０と補助線ｑｒ、補助線ｑｌとの交点の位置、そしてアンカーポイントＡＦは中心点Ｑ１を中心とした半径ＲＢの円弧と補助線ｋ４との交点の位置である。【００４１】長四角型の男性のアンカーポイントＡＥの位置は補助線ｋ０と中心点Ｑ３を中心とした半径ＲＢの円弧との交点の位置、そしてアンカーポイントＡＦは補助線ｋ４と補助線ｑｒ、補助線ｑｌとの交点の位置。【００４２】長四角型の女性のアンカーポイントＡＥの位置は補助線ｋ０と中心点Ｑ８を中心とした半径ＲＡの円弧との交点の位置、そしてアンカーポイントＡＦは補助線ｋ４と補助線ｑｒ、補助線ｑｌとの交点の位置。【００４３】四角型の男性のアンカーポイントＡＥの位置は補助線ｋ０と中心点Ｑ３を中心とした半径ＲＢの円弧との交点の位置、そしてアンカーポイントＡＦは補助線ｋ４と補助線ｑｒ、補助線ｑｌとの交点の位置。【００４４】四角型の女性のアンカーポイントＡＥの位置は補助線ｋ０と中心点Ｑ８を中心とした半径ＲＡの円弧との交点の位置、そしてアンカーポイントＡＦは補助線ｋ４と補助線ｑｒ、補助線ｑｌとの交点の位置。【００４５】逆三角型の男女のアンカーポイントＡＥの位置は補助線ｋ０と中心点Ｑ１０を中心とした半径ＲＡの円弧との交点の位置、そしてアンカーポイントＡＦは補助線ｋ５と補助線ｑｒ、補助線ｑｌとの交点の位置。【００４６】菱型の男女のアンカーポイントＡＥの位置は補助線ｋ０と補助線ｑｒ、補助線ｑｌとの交点の位置、そしてアンカーポイントＡＦは中心点Ｑ６を中心とした半径ＲＡの円弧と補助線ｋ４との交点の位置。【００４７】下ぶくれ型の男女のアンカーポイントＡＥの位置は補助線ｋ０と中心点Ｑ３を中心とした半径ＲＢの円弧との交点の位置、そしてアンカーポイントＡＦは補助線ｋ４と補助線ｑｒ、補助線ｑｌとの交点の位置。【００４８】面長型の男女のアンカーポイントＡＥの位置は補助線ｋ０と中心点Ｑ３を中心とした半径ＲＢの円弧との交点の位置、そしてアンカーポイントＡＦは補助線ｋ４と補助線ｑｒ、補助線ｑｌとの交点の位置。【００４９】レモン型の男女のアンカーポイントＡＥの位置は補助線ｋ０と中心点Ｑ３を中心とした半径ＲＢの円弧との交点の位置、そしてアンカーポイントＡＦは補助線ｋ４と補助線ｑｒ、補助線ｑｌとの交点の位置。【００５０】図１９に示すように、アンカーポイントＡＨは垂直方向補助線ｍ８と水平方向補助線ｋ７あるいは水平方向補助線ｋ６との交点に置く。【００５１】アンカーポイントＡＩは、顔の水平方向の補助線ｋ５上にあり、このｋ５上で顔の中央垂線から、特徴点Ｎ１と特徴点Ｎ２間の距離、すなわち小鼻の幅に一定の値を乗じた距離の位置に置く。【００５２】アンカーポイントＡＪは、顔の水平方向の補助線ｋ３上にあり、アンカーポイントＡＩを基点に補助線ｎ１に平行な補助線ｎ２との交点に置く。【００５３】これらのアンカーポイント同士の垂直方向距離ならびに水平方向距離については、特徴点ＡＥとＡＦ間の距離、また、顔の目、口など各部位の特徴点の垂直方向距離と水平方向距離によって制約される。【００５４】以上の手続きを経て設定されたベジェ曲線のアンカーポイント毎に、以下のように曲線制御の為のコントロールポイントの設定を行う。まず、アンカーポイントの位置とコントロールポイントの位置の相対的な距離を、以降ベジェ曲線の髭の長さと称する。【００５５】このアンカーポイントとコントロールポイントの相対的距離すなわちベジェ曲線の髭の長さを、眼鏡のデザイン形状に求められるデザインイメージを表現する為に慣用的に使用される６０種余りの語句、例えば「やわらかな」であるとか「シャープな」といった語句と対応付けを行い、各アンカーポイントに共通となる、髭の長さの段階分けを行う。これにより人間の眼鏡に対する希望デザインイメージを表す語句に対応し、ベジェ曲線の髭の長さを変化させることにより、その語句の持つイメージに従った形状を生成することが出来る。【００５６】また、ベジェ曲線の髭の長さは各アンカーポイントより引いた接線の交点までの距離を最大の長さとし、さらに各アンカーポイント毎の髭の長さの微調整は下記の各段階毎の掛け率を設定し下記の計算より求める。ポイント毎の髭の長さ＝最大の長さ×段階毎の掛け率、このとき、掛け率は各アンカーポイント毎に異なる値を設定し、且つ、眼鏡形状デザイン対象の人物の性別によっても値を変えて設定する。【００５７】各アンカーポイントにおける髭の方向は、基本的には生成されるレンズならびにリム形状に対しての接線とし、これは各アンカーポイントにおける曲線の角度を二等分した直線への垂線で近似する。但し、この髭の方向も先の髭の長さと同様、眼鏡形状デザイン対象の人物の性別により、各アンカーポイント毎に設定を変え調整する。一例として、アンカーポイントＡＡに於いての髭の方向は、デザイン対象人物が男性の場合は垂直に、女性の場合、目の特徴点Ｐ０を中心とした法線方向とする。【００５８】以上のような手順を経て形状デザインが生成されるが、この時の形状デザインの情報は、ベジェ曲線の関数値として生成される。この形式の情報のままでは、レンズ玉摺り加工機器あるいは眼鏡枠のリム形状形成機器の制御を行うのに不都合となる。【００５９】加工機器の多くは極座標の値の情報を以てその機構を制御しており、眼鏡レンズの玉摺り機器ならびにリム形状形成機器もこの例により、２次元あるいは３次元の極座標の情報を以て切削用の刃、砥石、カムなどを動作させることが多い。従って、先の手順で生成したベジェ曲線の値を極座標の形に変換し、加工機器に伝送する方が機器制御が容易となる。【００６０】上記眼鏡形状デザイン設計システムでは、先の手順で生成されたベジェ曲線の値を、眼鏡枠のボクシングの中心あるいは特徴点Ｐ０すなわち瞳の中心を中心点とした多方向への放射状の距離の値に置き換え、これらの極座標の値として加工機器に転送し加工機器を制御することにより当該の形状デザインの製品化を実現する。
【発明の概要】
【発明が解決しようとする課題】
【００６１】  以上の眼鏡形状デザイン設計システムによれば、お客様の顔の特徴に合わせた眼鏡をデザインし、製造することができるが、本件特許出願人は、お客様の満足度を高めるため更なる研究を行い、デザインした実際の眼鏡を作製する前に、デザインした眼鏡がお客様の好み等と合致しているかを確かめるために簡易な仮眼鏡フレームを作製し、それをお客様に掛けていただき、お客様自身に出来映えを判断していただき、満足が行ったときに実際の眼鏡の作製に係るというビジネス方法を考案した。
実際の眼鏡と同様に、デザインされ、作製された前フレームにテンプルをネジで取り付け、仮眼鏡用フレームを作製していたが、前フレームはそのままで、テンプルを取り替える等の自体が生じ、ネジで留めていたのでは時間がかかり、お客様を待たせる事となるという問題点が生じてきた。【００６２】  そこで、本発明は、仮眼鏡用前フレームに容易に取り付けられるテンプル、およびそのテンプルを用いた仮眼鏡フレームを提供することを目的とする。
【課題を解決するための手段】
【００６３】  上記目的は、下記（１）〜（７）の構成の本発明の仮眼鏡フレーム用テンプルおよび仮眼鏡フレームにより達成される。【００６４】（１）デザインされた実際の眼鏡を作製する前に、デザインされた眼鏡がお客様の好み等と合致しているかを確かめるために作製される仮眼鏡フレーム用のテンプルであって、仮眼鏡フレーム用前フレームに取り付けられる基部から延び耳掛け部で終わるテンプル本体、および前記テンプル本体の基部に設けられ、仮眼鏡フレームの前フレームの両側端部に設けられたテンプル取り付け用の開口にスナップ型式で嵌合して取り付けられる取付部材を備えていることを特徴とする仮眼鏡フレーム用のテンプル。
（２）前記取付部材は、弾性材料で形成されたＵ字形のものであり、Ｕの一端がテンプルの基部に固定され、他端が自由端となっており、Ｕの底部から眼鏡前フレームの開口に押し込まれるようになっている上記（１）の仮眼鏡フレーム用のテンプル。
（３）上記（１）または（２）の仮眼鏡フレーム用のテンプルを仮眼鏡フレーム用前フレームに取り付けてなる仮眼鏡フレーム。
（４）前記仮眼鏡フレーム用前フレームが、一枚の板材から切り出されたものである上記（３）の仮眼鏡フレーム。
（５）前記板材が弾性材料で形成されている上記（４）の仮眼鏡フレーム。
（６）前記仮眼鏡フレーム用前フレームを形成する弾性材料が、プラスチックである上記（５）の仮眼鏡フレーム。
（７）前記仮眼鏡フレーム用前フレームを形成する弾性材料が、金属である上記（５）の仮眼鏡フレーム。
【発明の効果】
【００６５】  本発明の仮眼鏡フレームは、デザインされた実際の眼鏡を作製する前に、デザインされた眼鏡がお客様の好み等と合致しているかを確かめるために作製されるものであり、実際の眼鏡を基本とした仮眼鏡フレームをお客様に掛けていただき、鏡等で見ていただくことにより、その眼鏡のデザインが本当に自分の好み等なのかを確認することができる。【００６６】  さらにまた、本発明の仮眼鏡フレーム用テンプルは、スナップ型式で簡単に前フレームに取り付けることができ、お客様をお待たせすることがない。また、この簡単に取り付けられること、および取り外しも簡単なことから、種々のデザインのテンプルを試すことができ、大変に実用価値の高いものである。
【図面の簡単な説明】
【００６７】
【図１】本発明の実施の形態による仮眼鏡フレームの正面図である。
【図２】図１に示された仮眼鏡フレームの一方のテンプルを仮眼鏡用前フレームから取り外した状態で示した平面図である。
【図３】図１および図２に示した仮眼鏡フレームのテンプルにおける取付部材を拡大して示した図で、（Ａ）は平面図、（Ｂ）は背面図である。
【図４】特許第２７５１１４５号の発明における眼鏡レンズならびに眼鏡枠の前部リムの形状デザインに必要な顔の外輪郭と中央部分の特徴点位置を示す図である。
【図５】特許第２７５１１４５号の発明における眉の特徴を捉える特徴点の設定の説明図である。
【図６】特許第２７５１１４５号の発明における目の特徴を捉える特徴点の設定の説明図である。
【図７】特許第２７５１１４５号の発明における鼻の特徴を捉える特徴点の設定の説明図である。
【図８】特許第２７５１１４５号の発明における口の特徴を捉える特徴点の設定の説明図である。
【図９】特許第２７５１１４５号の発明における顔の輪郭線の特徴を捉える特徴点の設定の説明図である。
【図１０】特許第２７５１１４５号の発明における眉、目に引かれる垂直補助線の説明図である。
【図１１】特許第２７５１１４５号の発明における水平補助線の説明図である。
【図１２】特許第２７５１１４５号の発明における斜補助線の説明図である。
【図１３】特許第２７５１１４５号の発明におけるレンズならびにリムの形状を規制する為の補助線の説明図である。
【図１４】特許第２７５１１４５号の発明におけるアンカーポイントの設定の説明図である。
【図１５】特許第２７５１１４５号の発明におけるアンカーポイントの設定の説明図である。
【図１６】特許第２７５１１４５号の発明におけるアンカーポイントの設定の説明図である。
【図１７】特許第２７５１１４５号の発明におけるアンカーポイントの設定の説明図である。
【図１８】特許第２７５１１４５号の発明におけるアンカーポイントの設定の説明図である。
【図１９】特許第２７５１１４５号の発明におけるアンカーポイントの設定の説明図である。
【発明を実施するための形態】
【００６８】  以下、添付図面を参照しつつ本発明の実施の形態による仮眼鏡フレームおよびそれに用いられるテンプルについて説明する。
【００６９】  本発明の実施の形態による仮眼鏡フレーム１０は、仮眼鏡用前フレーム１２およびテンプル１４、１６を備えている。
【００７０】  仮眼鏡用前フレーム１２は、上記の特許第２７５１１４５号の発明等により作成されたデザインに基づき、板材を切り出して作製されたものである。この板材としては、弾性プラスチックや金属等の弾性材料で形成されていることが好ましい。弾性プラスチックとしては、ＡＢＳ樹脂等を用いることが好ましい。
【００７１】  テンプル１４、１６は、その先端（特許請求の範囲等では基部）１４ａ、１６ａが内側（装着者でみて）にほぼ９０度曲がっており、その先端の内側（装着者の顔の方向）にスナップ型式の取付部材２２、２４が設けられている。テンプル１４、１６は、少なくともこれらの取付部材２２、２４（好ましくは全体）が弾性材料で形成されていることが好ましい。この弾性材料としては、仮眼鏡用前フレームと同じ弾性材料を用いることができる。取付部材２２、２４は、上記先端１４ａ、１６ａの外側に設けられても良い。
【００７２】  上記取付部材２２、２４は、逆Ｕ字型をしており、Ｕの一端２２ａ、２４ａがテンプル１４、１６の基部１４ａ、１６ａに一体固定され、他端２２ｂ、２４ｂが自由端となっている。
【００７３】  仮眼鏡用前フレーム１２の両側部１２ａ、１２ｂには、テンプル１４、１６の基部１４ａ、１４ｂに設けられた取付部材２２、２４が嵌合する一対の開口３０ａ、３０ｂが形成されており、取付部材２２、２４は、そのＵの底部から仮眼鏡用前フレームの開口３０ａ、３０ｂにＵを閉じるようにして押し込まれ、Ｕが弾性的に開こうとする力により、開口３０ａ、３０ｂ内にぴったりと嵌り、これによりテンプル１４、１６は仮眼鏡用前フレーム１２に取り付けられる。
上記したように、仮眼鏡用前フレーム１２を弾性材料で形成したのは、仮眼鏡用前フレーム１２が非弾性材料で形成されていると、開口３０ａ、３０ｂ内に取付部材２２、２４が押し込まれたときに、仮眼鏡用前フレームが割れてしまうおそれがあったからである。これにより、仮眼鏡用前フレームを薄くでき、材料の節約ができる。
【００７４】  以上により、形成された仮眼鏡フレーム１０をお客様に実際に層着していただき、そのデザインされた眼鏡の感触を知っていただき、その上で、実際の眼鏡の作製に取りかかれるので、お客様により満足して頂けるようになる。
【符号の説明】
【００７５】１０  仮眼鏡フレーム
１２  仮眼鏡用前フレーム
１２ａ、１２ｂ  仮眼鏡用前フレーム１２の両側部
１４、１６  テンプル
１４ａ、１４ｂ  テンプル１４、１６の基部
２２、２４  取付部材
３０ａ、３０ｂ  開口
【図１】
2011138081.tif 000003
【図２】
2011138081.tif 000004
【図３】
2011138081.tif 000005
【図４】
2011138081.tif 000006
【図５】
2011138081.tif 000007
【図６】
2011138081.tif 000008
【図７】
2011138081.tif 000009
【図８】
2011138081.tif 000010
【図９】
2011138081.tif 000011
【図１０】
2011138081.tif 000012
【図１１】
2011138081.tif 000013
【図１２】
2011138081.tif 000014
【図１３】
2011138081.tif 000015
【図１４】
2011138081.tif 000016
【図１５】
2011138081.tif 000017
【図１６】
2011138081.tif 000018
【図１７】
2011138081.tif 000019
【図１８】
2011138081.tif 000020
【図１９】
2011138081.tif 000021